(57)【特許請求の範囲】
【請求項１】
被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、
前記撮影口の上半分側に外気導入のための吸込み口を設けたことを特徴とするＸ線ＣＴ装置。
【請求項２】
被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、
前記撮影口の少なくとも一部を二重壁構造とし、この二重壁の部分に外気を導入するための撮影口用吸込み口を設けることを特徴とするＸ線ＣＴ装置。
【請求項３】
前記撮影口の上部側半分の少なくとも一部を二重壁構造とし、この二重壁の部分に外気を導入するための撮影口用吸込み口を設けることを特徴とする請求項２記載のＸ線ＣＴ装置。
【請求項４】
前記撮影口用吸込み口に空気を取り入れるための孔を有する保護カバーを設けたことを特徴とする請求項１乃至請求項３のいずれか１項記載のＸ線ＣＴ装置。
【請求項５】
被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、
前記架台内部に、前記回転体を覆い、前記撮影口側に設けられる外気導入のための吸込み口と、前記回転体の回転方向に合わせて設けられる空気吐き出しのための吐出し口を備えるケーシングを設け、前記撮影口に前記吸込み口に合わせて貫通孔を設けると共に、前記架台に前記吐出し口に合わせて貫通孔を設けることを特徴とするＸ線ＣＴ装置。
【請求項６】
前記撮影口に設けられる貫通孔は、前記撮影口の上部側半分の領域の少なくとも一部に設けられることを特徴とする請求項５記載のＸ線ＣＴ装置。
【請求項７】
前記撮影口の少なくとも一部を二重壁構造とし、前記撮影口に設けられる貫通孔は、この二重壁の部分に設けられることを特徴とする請求項５記載のＸ線ＣＴ装置。
【請求項８】
前記撮影口の上部側半分の領域の少なくとも一部を二重壁構造とし、前記撮影口に設けられる貫通孔は、この二重壁の部分に設けられることを特徴とする請求項５記載のＸ線ＣＴ装置。
【発明の詳細な説明】
【０００１】
【発明の属する技術分野】
本発明は、Ｘ線ＣＴ装置に関し、特に内部に発生する熱を効率良く冷却することが可能なＸ線ＣＴ装置に関するものである。
【０００２】
【従来の技術】
近年、医療用診断装置として例えばＸ線ＣＴ装置の架台は、中央部に被検体をを撮影するために撮影口が形成され、この撮影口を挟んでＸ線管及び検出器や電源、信号処理用の部品が箱状の収納部材であるカバーに収納されている。またヘリカルスキャンタイプのＸ線ＣＴ装置は、Ｘ線管及び検出器や電源、信号処理用の部品の一部が被検体の回りを回転する構成になっている。この架台においては、熱によるＸ線や検出器の機能低下を防止するために、カバーもしくはフレームに冷却用のファンが設けられている。
【０００３】
従来の冷却方法として、例えば実開昭５９−１４６０４号公報に記載されているものでは、被検体を収納する胴（撮影口）の回り全周に吸気口を設け、回転体の回転で発生する（実装部品が遠心ファンの羽根と同じ作用をし、回転体から流れは遠心方向に流れる）差圧を利用し外気をカバー内に導入する方法や外気を取り入れるところだけダクト化している方法が提案されている。また、ＵＳＰ−４９６９１６７号公報に記載されているものでは、冷却ダクトとノズルをフロントカバー内側に設け、検査領域の周囲に固定された検出器に空気を吹き付け検出器を集中的に冷却している（第４世代Ｘ線ＣＴ装置）。冷却空気の供給方法は、ファンやポンプ、その他空気を送る手段となっている。
【０００４】
【発明が解決しようとする課題】
近年のＸ線ＣＴ装置は、機能が向上し、またこれに伴い使用方法も多岐にわたってきた。Ｘ線ＣＴ装置の機能や用途が向上したことにより発熱量も増大し、ここで示したような冷却方法では不十分となってきた。例えば図９に示すように従来の多くのＸ線ＣＴ装置１０１は、中央部に被検体が挿入される撮影口１０３を有する回転体１０５にＸ線管や検出器等の部品１０７が設置されており、側面または底部に吸込み口１０９を設けると共に、フレームやカバー（架台）の側面または天井に冷却ファン１１１を取り付けて、図９に矢印で示す下から上への流れを作り強制空冷を行っている。また、Ｘ線ＣＴ装置作動時は回転体１０５の回転により発生する遠心方向の空気の流れと、この回転と同じ方向に架台内を回転する空気の流れの２つの流れが発生する。図１０に一般的なＸ線ＣＴ装置の架台の条件に近いモデル、すなわち回転体径１．５（ｍ）、回転数６０（ｒｐｍ  ）の設定にて回転体によって回転方向に発生する静圧−流量線図を示す。図１０に示すように小静圧で大風量となり、静圧が高いと風量が少なくなる特性を持っていることが分かる。
【０００５】
冷却空気は、冷却ファンや回転体１０５の回転によって架台の下部や側面から入るが、この流れと回転方向に生じる流れとが衝突し合い図９に示すように空気の淀み域Ａを発生させる（右回転の場合は右側に発生）。このため、回転体１０５の中心部に冷たい空気が入りにくく中心部の熱をＸ線ＣＴ装置外に排出しにくい欠点があった。
【０００６】
また、実開昭５９−１４６０４号公報記載のものでは、上記課題は解決する見込みはあるものの撮影口の全周に吸気口があるため、被検体に投与する造影剤や血液が架台内に入る恐れがあった。さらにＵＳＰ−４９６９１６７号公報記載のものでは、検出器のみ冷却され発熱量の大きいＸ線管が冷却できなかった。特に第４世代Ｘ線ＣＴ装置は検出器のリングの内側をＸ線管が回転するため、ここで提案されている冷却方法では冷却空気がＸ線管を冷却できなかった。
【０００７】
本発明は、上記課題に鑑みてなされたもので、Ｘ線ＣＴ装置の機能や用途が向上したことによる発熱量の増大と各種使用環境条件下でも架台内を効率的に所定温度内にすることができるＸ線ＣＴ装置を提供することを目的とする。
【０００８】
【課題を解決するための手段】
上記目的を達成するため請求項１記載の発明は、被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、前記撮影口の上半分側に外気導入のための撮影口用吸込み口を設けたことを要旨とする。
【０００９】
請求項１記載のＸ線ＣＴ装置にあっては、架台の被検体を撮影するための撮影口の上部側半分の少なくとも一部に外気を導入するための撮影口用吸込み口を設けるようにしている。これにより、Ｘ線ＣＴ装置の機能や用途が向上したことによる発熱量の増大と各種使用環境条件下でも架台内を効率的に所定温度内にすることができる。
【００１０】
また、請求項２記載の発明は、被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、前記撮影口の少なくとも一部を二重壁構造とし、この二重壁の部分に外気を導入するための撮影口用吸込み口を設けることを要旨とする。
【００１１】
請求項２記載のＸ線ＣＴ装置にあっては、架台の被検体を撮影するための撮影口の少なくとも一部を二重壁構造とし、この二重壁の部分に外気を導入するための撮影口用吸込み口を設けるようにしている。これにより、Ｘ線ＣＴ装置の機能や用途が向上したことによる発熱量の増大と各種使用環境条件下でも架台内を効率的に所定温度内にすることができる。
【００１４】
さらに、請求項５記載の発明は、被検体が挿入される貫通孔の周囲にＸ線管および高電圧装置等が設置され当該被検体を中心にして被検体の回りを回転する回転体と、この回転体を収容すると共に外周部に外気導入のための吸込み口と放熱のための冷却ファンとを備えさらに前記貫通孔に対応して設けられ被検体を撮影するための撮影口を備える架台とを有するＸ線ＣＴ装置において、前記架台内部に、前記回転体を覆い、前記撮影口側に設けられる外気導入のための吸込み口と、前記回転体の回転方向に合わせて設けられる空気吐き出しのための吐出し口を備えるケーシングを設け、前記撮影口に前記吸込み口に合わせて貫通孔を設けると共に、前記架台に前記吐出し口に合わせて貫通孔を設けることを要旨とする。
【００１５】
請求項５記載のＸ線ＣＴ装置にあっては、架台内部に、Ｘ線管、高電圧発生装置等が設置される回転体を覆い、被検体撮影のための撮影口側に設けられる外気導入のための吸込み口と、前記回転体の回転方向に合わせて設けられる空気吐き出しのための吐出し口を備えるケーシングを設け、前記撮影口に前記吸込み口に合わせて貫通孔を設けると共に、前記架台に前記吐出し口に合わせて貫通孔を設けるようにしている。これにより、Ｘ線ＣＴ装置の機能や用途が向上したことによる発熱量の増大と各種使用環境条件下でも架台内を効率的に所定温度内にすることができる。
【００１６】
【発明の実施の形態】
以下、本発明に係る実施の形態を図面を参照して説明する。図１は本発明に係るＸ線ＣＴ装置の第１実施形態を示した図であり、図２はその断面図である。
【００１７】
図１に示すように、Ｘ線ＣＴ装置１は、中央部に被検体を撮影するための撮影口３が形成され、撮影口３を挟んでＸ線管および検出器や電源、信号処理手段等の部品７が箱状の収納部材である架台５に収納されている。また、ヘリカルスキャンタイプ等のＸ線ＣＴ装置１では、図２に示すようにＸ線管および検出器や電源、信号処理手段等の部品７の一部は、架台５に固定されているベース９にベアリング１１を介して回動可能に設けられる回転体１３に設置され、被検体の回りを回動するように構成されている。尚、図２は、撮影口３の開口面に対して直交する方向の断面を示している。
【００１８】
Ｘ線ＣＴ装置１では、部品７の内、Ｘ線管、電源、制御基板等から発熱するので、これを放熱（冷却）しないと熱によって部品７の機能が低下する。このため、Ｘ線ＣＴ装置１においては、熱による部品７の機能低下を防止するために、架台５の下部には外部の空気を取り入れるための吸込み口１５が設けられ、架台５の上部には図３に示すような冷却用ファン１７が設けられている。この冷却ファン１７は、複数個接続され、この接続する個数を変えることによりその風量を調整することができる。
【００１９】
特に、第１実施形態では、撮影口３の中央部の上部側半分（９時〜３時方向）に撮影口用吸込み口１９を設けることにする。この撮影口用吸込み口１９には安全上、開口率が５０％以上のメッシュ状、多孔状等の保護カバーを設けるようにする。尚、ここでは、撮影口３の中央部の上部側半分（９時〜３時方向）に撮影口用吸込み口１９を設けているが、これに限らず、撮影口３の上部側半分の領域内であれば例えば中央部に限らず周囲部に設けても良いし、１０時〜２時方向に設けるようにしても良い。また、ここでは、撮影口用吸込み口１９の開口率を５０％以上としているが、この値に限定され無い。尚、外気導入のためには、最低２０％以上の開口率を必要とする。
【００２０】
このＸ線ＣＴ装置１の熱・空気の流れを見ると、検査待ちの状態（Ｘ線を曝射しない場合）では、外気の冷たい空気が冷却用ファン１７によって吸込み口１５と撮影口用吸込み口１９からＸ線ＣＴ装置１内に導入され、内部で発熱する部品７の熱を奪い、温かくなって冷却用ファン１７からＸ線ＣＴ装置１の外へ吐き出される。
【００２１】
また、検査時（Ｘ線曝射時）は、回転体１３が回転する際、遠心方向の空気の流れが発生する。しかし、下部に設けた吸込み口１５からの冷たい空気と回転体１３の回転によって生じる空気の流れとが衝突し合い（右回転の場合は右側に発生）回転体１３の中心部に冷たい空気が入りにくく、中心部の部品７の熱をＸ線ＣＴ装置１外に排出しなかった。
【００２２】
しかし、第１実施形態では、撮影口３に撮影口用吸込み口１９を設けることにより、冷却用ファン１７や、回転体１３の回転力による遠心方向の空気の流れによって、回転体１３内部で発生した部品７の熱を効率良く冷やすことができる。
【００２３】
また、第１実施形態では、撮影口用吸込み口１９が撮影口３の上部側半分に設けているので、検査時、被検体に投与する可能性がある造影剤や血液等が架台５内に入ることがなく安全にＸ線ＣＴ装置１を稼働することができる。また、回転体１３に取り付けたＸ線管および検出器や電源、信号処理手段等の部品７に設けられている冷却用ファン（図示せず）を少なくすることやＸ線ＣＴ装置１の上部に取り付けた冷却用ファン１７の数を減らすことができる。
【００２４】
このように、第１実施形態では、撮影口３の上部側半分に撮影口用吸込み口１９を設けているので、Ｘ線ＣＴ装置の機能や用途が向上したことによる発熱量の増大と各種使用環境条件下でも効率的に架台５内を所定温度内にすることができる。
【００２５】
図４は本発明に係るＸ線ＣＴ装置の第２実施形態を示した図である。
第２実施形態では、図１、図２に示した第１実施形態の撮影口用吸込み口１９に代え、図４に示すように撮影口３の少なくとも一部を二重壁構造とし、この二重壁の部分に撮影口用吸込み口２３を設けるようにしたものである。尚、他の構成については、図１、図２に示した第１実施形態のＸ線ＣＴ装置１と同一であるので、同一の記号を付して詳細な説明を省略した。
【００２６】
撮影口３の二重壁構造としては、図４に示すように、撮影口３の下部側に下部から上部に向けて撮影口３の一部の壁面を内側に曲げた内壁２１ａを設けると共に、その内壁２１ａの内側に曲げた部分の一部と重なるように（接触しないように）撮影口３の上部から下部に向けて外壁２１ｂを設ける。このとき、外壁２１ｂの先端部と内壁２１ａの屈曲元との間を撮影口用吸込み口２３とする。また、この撮影口用吸込み口２３にも前記撮影口用吸込み口１９と同様の保護カバーを設けるようにする。同様にして、撮影口３の上部側にも撮影口用吸込み口２３を設ける。
【００２７】
尚、ここでは撮影口用吸込み口２３を撮影口３の上部側と下部側の両方に設けているが、これに限らず、撮影口３の上部側と下部側の少なくとも一方に設けるようにする。
【００２８】
このとき、撮影口３の下部側に設けられる撮影口用吸込み口２３の架台５内部側は下方に向いており、たとえ撮影口３に造影剤が流出したとしても架台５内に造影剤が侵入することは無い。
【００２９】
このように、第２実施形態では、撮影口３の少なくとも一部を二重壁構造とし、この二重壁の部分に撮影口用吸込み口２３を設けるようにしたので、Ｘ線ＣＴ装置の機能や用途が向上したことによる発熱量の増大と各種使用環境条件下でも効率的に架台５内を所定温度内にすることができる。
【００３０】
尚、第２実施形態では、撮影口３の前記二重構造として、撮影口３の下部側に下部から上部に向けて撮影口３の一部の壁面を内側に曲げた内壁２１ａを設けると共に、その内壁２１ａの内側に曲げた部分の一部と重なるように撮影口３の上部から下部に向けて外壁２１ｂを設けるようにしているが、本発明はこれに限るものでは無い。例えば、図５に示すように、撮影口３の一部または全部を外壁３１ａと内壁３１ｂの二重壁構造にし、撮影口３上部と下部の少なくとも一方に撮影口用吸込み口３３を設けると共に、回転体１３側に空気の出口３３ａを設けるようにする。尚、図５では撮影口３の一部を二重壁構造にした場合を示している。
【００３１】
図６は本発明に係るＸ線ＣＴ装置の第３実施形態を示した図である。尚、図６は、Ｘ線ＣＴ装置の架台の前側のカバーを外した状態の正面図である。尚、図６中、図１、図２で示したものと同一のものは同一の記号を付して詳細な説明を省略した。
【００３２】
Ｘ線ＣＴ装置１の架台５内には、Ｘ線管、電源、制御基板等のように発熱する部品７Ａと、検出器等のように発熱しない部品７Ｂが設けられているので、発熱する部品７Ａを冷却しないと熱によって部品７の機能が低下する。また、冷却空気は、冷却ファン１７や回転体１３の回転によって架台５の下部や側面から入るが、この流れと回転方向に生じる流れとが衝突し合い、空気の淀み域を発生させる（右回転の場合は右側に発生）。これにより、回転体１３の中心部に冷たい空気が入りにくくＸ線管および電源等の発熱する部品７Ａの熱をＸ線ＣＴ装置１外に排出しにくい。このため、第３実施形態では、架台５内部に、空気の流れを案内する案内板３５を設け、回転体１３側に空気が流れるようにすると共に、空気の淀み域を無くすように強制的に空気の流れを案内するようにしている。
【００３３】
案内板３５は、架台５内の部品７の設けられていない広い空間部分に架台５の内側面から回転体１３の間に設置される。尚、図６に示す例では、架台５の左側面と回転体１３との間に案内板３５が設けられている。
【００３４】
また、回転体１３が右回転である場合は、架台５の右側に空気の淀み域が発生するので架台５の右側の回転体１３側に架台５の側面と平行させて案内板３５を設けると共に、この案内板３５と架台５の右側面との間の上部に冷却ファン１７を設けて案内板３５と架台５の右側面との間の空気を架台５上部の冷却ファン１７によって架台５外部に吐き出すようにする。
【００３５】
尚、案内板３５は、架台５の前面から後面までの全域に設置されることが望ましいが、部品７の配置関係等で空気の流れが悪くなる場合や部品７の配置位置の関係でで架台５の前面から後面までの全域に設置できない場合は、この限りではない。
【００３６】
ここで、案内板３５が無い場合の空気の流れを図９に示す。回転体１０５にはＸ線管、高電圧発生装置、信号処理手段等の部品１０７が取り付けられているが、これらの部品１０７が遠心ファンの羽根と同じ作用をし、架台内部の空気は遠心方向に流れる。しかし、冷却空気は、架台の下部や側面から入ることから回転によって生じる空気の流れと衝突し合い、淀み域Ａが発生しスムースな空気の流れが得られなかった。
【００３７】
しかし、第３実施形態では、案内板３５を設けることにより、図６に矢印で示すように従来の淀み域が解消すると共に、回転体１３の中心部に冷却空気が流れるようになるため、回転体１３の中心部や回転機構部分で発生した熱を回転体１３外部さらには架台５外部に吐き出すことができ、架台５内を所定の温度内にすることができる。
【００３８】
このように、第３実施形態では、架台５内に空気の流れを案内する案内板３５を設けているので、Ｘ線ＣＴ装置の機能や用途が向上したことによる発熱量の増大と各種使用環境条件下でも架台５内を効率的に所定温度内にすることができる。
【００３９】
尚、図６に示す案内板３５の設置位置に限らず、例えば、図７に示すように、架台５の左側面と回転体１３との間と、架台５の右側面と回転体１３の間と、架台５の上面と回転体１３の間と、架台５の上面と回転体１３の間にそれぞれ案内板３５を設けるようにしても良い。尚、図７は、Ｘ線ＣＴ装置の架台５の前側のカバーを外した状態の正面図である。また、図７中、図１、図２で示したものと同一のものは同一の記号を付して詳細な説明を省略した。
【００４０】
またこの場合、空気の淀み域を無くすため、架台５の右側面の下部に冷却ファン１７を設けて右上部から右側面の下部に空気の流れを発生させるようにする。この場合も図７に矢印で示すように従来の淀み域が解消すると共に、回転体１３の中心部に冷却空気が流れるようになるため、回転体１３の中心部や回転機構部分で発生した熱を回転体１３外部さらには架台５外部に吐き出すことができ、架台５内を所定の温度内にすることができる。
【００４１】
図８は本発明に係るＸ線ＣＴ装置の第４実施形態を示した図である。尚、図８（ａ）は、Ｘ線ＣＴ装置の架台の前側のカバーを外した状態の正面図であり、図８（ｂ）はその平面図、図８（ｃ）はその断面図（撮影口３の開口面に対して直交する方向の断面図）である。尚、図８中、図１、図２で示したものと同一のものは同一の記号を付して詳細な説明を省略した。
【００４２】
第４実施形態では、架台５内部に、回転体１３全体を覆い、撮影口３側に設けられる吸込み口４１ａと、回転体１３の回転方向に合わせて設けられる（ここでは右回転であるので架台５の左上部に設けられる）吐出し口４１ｂを備えるケーシング４１を設け、回転体１３の回転で生じる遠心方向の流れをスムーズに架台５外部に吐き出すようにしている。
【００４３】
ケーシング４１は、撮影口３に対応させて中央部に貫通孔が設けられると共に、撮影口３側に吸込み口４１ａと、架台５の左上部側に吐出し口４１ｂが設けられ、回転体１３と、回転体１３に設置されている部品７との全体を架台５の左上部（回転体１３が左回転の場合は右上部）から巻くように覆っている（対数渦巻き曲線が理想とされる）。
【００４４】
また、撮影口３には、吸込み口４１ａに合わせて貫通孔を設け、架台５には、吐出し口４１ｂに合わせて貫通孔を設けると共に冷却ファン１７を設けるようにする。
【００４５】
第４実施形態の場合、回転体１３とケーシング４１によって、回転体１３そのものが遠心ファンと同様に作用し、回転体１３の回転で生じる遠心方向の空気の流れがケーシング４１によってスムーズに回転体１３外部さらに架台５外部に吐き出されるようになる。
【００４６】
また、架台５内には、回転体１３を除いた領域にも発熱する部品７Ａと、発熱しない部品７Ｂが設けられている。このため、図８（ａ）に示すように、前記発熱する部品７Ａをケーシング４１内（望ましくは吐出し口４１ｂ近傍）に位置させ、前記発熱しない部品７Ｂをケーシング４１外に位置させるように構成する。これにより、回転体１３の回転で生じる遠心方向の空気の流れによって前記発熱する部品７Ａについても効果的に冷却することができる。
【００４７】
このように第４実施形態では、回転体１３全体を覆い、撮影口３側に設けられる吸込み口４１ａと、架台５の左上部に設けられる吐出し口４１ｂを備えるケーシング４１を設け、回転体１３の回転で生じる遠心方向の流れをスムーズに架台５外部に吐き出すようにしようにしているので、Ｘ線ＣＴ装置の機能や用途が向上したことによる発熱量の増大と各種使用環境条件下でも架台５内を効率良く所定温度内にすることができる。
【００４８】
また、回転体１３で発生した熱を効率良く回転体１３外部さらに架台５外部に吐き出すことができるので、部品７に取り付けられる図示しない冷却ファンや、架台５に取り付けられる冷却ファン１７を少なくすることができる。
【００４９】
尚、第４実施形態では、吸込み口４１ａの位置は特に指定していないが、架台５内に造影剤等が入るのを防止するために、第１実施形態と同様に、撮影口３の上部半分（９時〜３時方向）に吸込み口４１ａを設けるようにしたり、第２実施形態と同様に、撮影口３の少なくとも一部を二重壁構造とし、この二重壁の部分に吸込み口４１ａを設けるようにすることが望ましい。
【００５０】
【発明の効果】
以上説明したように請求項１記載の発明によれば、撮影口の上部側半分の少なくとも一部に外気を導入するための撮影口用吸込み口を設けるようにしているので、Ｘ線ＣＴ装置の機能や用途が向上したことによる発熱量の増大と各種使用環境条件下でも架台内を効率的に所定温度内にすることができる。
【００５１】
また、請求項２記載の発明によれば、撮影口の少なくとも一部を二重壁構造とし、この二重壁の部分に外気を導入するための撮影口用吸込み口を設けるようにしているので、Ｘ線ＣＴ装置の機能や用途が向上したことによる発熱量の増大と各種使用環境条件下でも架台内を効率的に所定温度内にすることができる。
【００５３】
さらに、請求項５記載の発明によれば、架台内部に、回転体を覆い、撮影口側に設けられる外気導入のための吸込み口と、回転体の回転方向に合わせて設けられる空気吐き出しのための吐出し口を備えるケーシングを設け、前記撮影口に前記吸込み口に合わせて貫通孔を設けると共に、前記架台に前記吐出し口に合わせて貫通孔を設けるようにしているので、Ｘ線ＣＴ装置の機能や用途が向上したことによる発熱量の増大と各種使用環境条件下でも架台内を効率的に所定温度内にすることができる。
【図面の簡単な説明】
【図１】本発明に係るＸ線ＣＴ装置の第１実施形態を示した図である。
【図２】本発明に係るＸ線ＣＴ装置の第１実施形態の断面図である。
【図３】冷却用ファンを示す図である。
【図４】本発明に係るＸ線ＣＴ装置の第２実施形態を示した図である。
【図５】撮影口の二重壁構造の例を示した図である。
【図６】本発明に係るＸ線ＣＴ装置の第３実施形態を示した図である。
【図７】案内板の他の配置例を示す図である。
【図８】本発明に係るＸ線ＣＴ装置の第４実施形態を示した図である。
【図９】回転体の静圧−風量特性を示す図である。
【図１０】従来例の概略の構成を示す図である。
【符号の説明】
１  Ｘ線ＣＴ装置
３  撮影口
５  架台
７  部品
９  ベース
１１  ベアリング
１３  回転体
１５  吸込み口
１７  冷却用ファン
１９，２３  撮影口用吸込み口
２１ａ，３１ｂ  内壁
２１ｂ，３１ａ  外壁
３５  案内板
４１  ケーシング
４１ａ  吸込み口
４１ｂ  吐出し口
【図１】
0003587410.tif 000002
【図２】
0003587410.tif 000003
【図３】
0003587410.tif 000004
【図４】
0003587410.tif 000005
【図５】
0003587410.tif 000006
【図６】
0003587410.tif 000007
【図７】
0003587410.tif 000008
【図８】
0003587410.tif 000009
【図９】
0003587410.tif 000010
【図１０】
0003587410.tif 000011